(57)【要約】【課題】  速度計等の正面視中心側に液晶表示器を容易に組み付けることができるとともに、ケース内への液晶表示器の着脱作業をスムーズに行うことができる表示装置組付構造及び表示装置組付方法を提供する。【解決手段】本発明に係る表示装置組付構造１は、環状の周辺壁１１２を有するケース１１０と、ケース１１０の前面側に配置された文字板１２０と、文字板１２０で可動する指針部材１３０と、ケース１１０内に設けられて指針部材１３０を駆動する内機１４０とを備えたメータ本体部１００に、ＬＣＤ表示機器２００を組み付ける構造である。ケース１１０の周辺壁１１２には、内機１４０と文字板１２０との間にＬＣＤ表示機器２００を挿脱可能な表示器挿入開口１１４が形成される。【選択図】図３
2012181089.tif 000002
【特許請求の範囲】
【請求項１】
環状の周辺壁を有するケースと、前記ケースの前面側に配置された文字板と、前記文字板上で可動する指針部材と、前記ケース内に設けられて前記指針部材を駆動する内機とを備えたメータ本体部に、液晶表示器を組み付ける表示装置組付構造であって、
前記周辺壁には、前記内機と前記文字板との間に前記液晶表示器を挿脱可能な表示器挿入開口が形成されることを特徴とする表示装置組付構造。
【請求項２】
請求項１に記載の表示装置組付構造であって、
前記表示器挿入開口の開口縁部には、
前記ケース内へ前記液晶表示器を案内するガイド手段と、
前記ケース内に挿入された前記液晶表示器を固定する固定手段と
が設けられることを特徴とする表示装置組付構造。
【請求項３】
請求項１又は請求項２の何れかに記載の表示装置組付構造であって、
前記指針部材は、
前記内機の回動駆動軸に一端が連結され、前記内機の駆動により回動する指針本体部と、
前記指針本体部の他端側から延設され、前記液晶表示器の外周を迂回するとともに、前記文字板を迂回する指針迂回部と、
前記指針迂回部に延設され、前記文字板上に位置する指針先端部と
を備えることを特徴とする表示装置組付構造。
【請求項４】
環状の周辺壁を有するケースの前面側に配置された文字板と、前記文字板上で可動する指針部材と、前記ケース内に設けられて前記指針部材を駆動する内機とを備えたメータ本体部に、液晶表示器を組み付ける表示装置組付方法であって、
前記内機に前記指針部材が組み付けられた後、前記指針部材を構成する指針本体部と、前記指針本体部の他端側から延設された指針迂回部との間に、前記周辺壁に設けられた表示器挿入開口から前記液晶表示器を前記ケース内に挿入するステップと、
前記指針本体部と前記指針迂回部との間に前記液晶表示器の外周端を挿入した状態で、前記液晶表示器を前記ケースに固定するステップと、
前記液晶表示器の前面側へ前記指針迂回部から延設された指針先端部をさけるように、前記文字板を前記ケースの前面に組み付けるステップと
を含むことを特徴とする表示装置組付方法。
【発明の詳細な説明】
【技術分野】
【０００１】
本発明は、文字板や指針部材等を備えるメータ本体部に液晶表示器を組み付ける表示装置組付構造及び表示装置組付方法に関する。
【背景技術】
【０００２】
従来から、自動車等の車両に搭載される表示装置として、速度計等が付された文字板上で可動する指針部材を用いたアナログ表示以外に、液晶表示器（以下、ＬＣＤ表示機器）を用いたデジタル表示された技術がある。
【０００３】
例えば、文字板や指針部材等を収容するケースの前面側に、略薄箱状のＬＣＤ表示機器を一端側から差し込んで回動させることによって、ＬＣＤ表示機器をケース内に組み付ける表示装置組付構造が知られている（例えば、特許文献１参照）。これにより、ケース内へのＬＣＤ表示機器の着脱作業を容易に行うことができる。
【先行技術文献】
【特許文献】
【０００４】
【特許文献１】特開２０１０−１８１４７８号公報（第２〜第４頁、第１図）
【発明の概要】
【発明が解決しようとする課題】
【０００５】
ところで、近年においては、多様化する市場のニーズ等によって、文字板（指針部材）とＬＣＤ表示機器とを一緒に搭載した表示装置が求められている。
【０００６】
しかしながら、上述した従来の表示装置組付構造では、ケース内へのＬＣＤ表示機器の着脱作業を容易に行うことができるものの、文字板に付された速度計等とＬＣＤ表示機器とをそれぞれ別の場所に配置させることにしか対応できなかった。
【０００７】
つまり、従来の表示装置組付構造では、ＬＣＤ表示機器の前面に指針部材を配置することが困難、すなわち、速度計等の正面視中心側（内側）にＬＣＤ表示機器を配置させることは困難であった。
【０００８】
そこで、本発明は、速度計等の正面視中心側に液晶表示器を容易に組み付けることができるとともに、ケース内への液晶表示器の着脱作業をスムーズに行うことができる表示装置組付構造及び表示装置組付方法の提供を目的とする。
【課題を解決するための手段】
【０００９】
上述した課題を解決するため、本発明は、次のような特徴を有している。まず、本発明の第１の特徴は、環状の周辺壁（周辺壁１１２）を有するケース（ケース１１０）と、前記ケースの前面側に配置された文字板（文字板１２０）と、前記文字板上で可動する指針部材（指針部材１３０）と、前記ケース内に設けられて前記指針部材を駆動する内機（内機１４０）とを備えたメータ本体部（メータ本体部１００）に、液晶表示器（ＬＣＤ表示機器２００）を組み付ける表示装置組付構造（表示装置組付構造１）であって、前記周辺壁には、前記内機と前記文字板との間に前記液晶表示器を挿脱可能な表示器挿入開口（表示器挿入開口１１４）が形成されることを要旨とする。
【００１０】
かかる特徴によれば、ケースの周辺壁には、内機と文字板との間に液晶表示器を挿脱可能な表示器挿入開口が形成される。これにより、周辺壁に形成される表示器挿入開口から液晶表示器を挿入するのみで、文字板に付される速度計等の正面視中心側、且つ、内機と文字板との間に液晶表示器を容易に組み付けることができる。また、周辺壁に形成される表示器挿入開口を介して液晶表示器を容易に着脱できるため、ケース内への液晶表示器の着脱作業をスムーズに行うことができる。
【００１１】
本発明の第２の特徴は、本発明の第１の特徴に係り、前記表示器挿入開口の開口縁部（開口縁部１１４E）には、前記ケース内へ前記液晶表示器を案内するガイド手段（ガイド手段１１５）と、前記ケース内に挿入された前記液晶表示器を固定する固定手段（固定手段１１６）とが設けられることを要旨とする。
【００１２】
かかる特徴によれば、表示器挿入開口の開口縁部には、ガイド手段と固定手段とが設けられる。これにより、ガイド手段によってケース内の内機と文字板との間に液晶表示器が案内されるため、液晶表示器への損傷を防止しつつ、ケース内への液晶表示器の着脱作業をスムーズに行うことができる。また、固定手段によってケース内の内機と文字板との間に液晶表示器を確実に固定でき、ケース内に液晶表示器をさらに容易に組み付けることができる。
【００１３】
本発明の第３の特徴は、本発明の第１又は第２の特徴に係り、前記指針部材は、前記内機の回動駆動軸に一端が連結され、前記内機の駆動により回動する指針本体部（指針本体部１３１）と、前記指針本体部の他端側から延設され、前記液晶表示器の外周を迂回するとともに、前記文字板を迂回する指針迂回部（指針迂回部１３２）と、前記指針迂回部に延設され、前記文字板上に位置する指針先端部（指針先端部１３３）とを備えることを要旨とする。
【００１４】
かかる特徴によれば、指針迂回部は、液晶表示器の外周を迂回するとともに、文字板を迂回する。これにより、内機と文字板との間に液晶表示器を配置させ、液晶表示器の前面に指針部材を確実に配置させることが可能である。
【００１５】
本発明の第４の特徴は、環状の周辺壁を有するケースの前面側に配置された文字板と、前記文字板上で可動する指針部材と、前記ケース内に設けられて前記指針部材を駆動する内機とを備えたメータ本体部に、液晶表示器を組み付ける表示装置組付方法であって、前記内機に前記指針部材が組み付けられた後、前記指針部材を構成する指針本体部と、前記指針本体部の他端側から延設された指針迂回部との間に、前記周辺壁に設けられた表示器挿入開口から前記液晶表示器を前記ケース内に挿入するステップ（ＬＣＤ挿入行程）と、前記指針本体部と前記指針迂回部との間に前記液晶表示器の外周端を挿入した状態で、前記液晶表示器を前記ケースに固定するステップ（ＬＣＤ固定行程）と、前記液晶表示器の前面側へ前記指針迂回部から延設された指針先端部をさけるように、前記文字板を前記ケースの前面に組み付けるステップ（文字板組付行程）とを含むことを要旨とする。
【発明の効果】
【００１６】
本発明の特徴によれば、周辺壁に形成される表示器挿入開口から液晶表示器を挿入するのみで、速度計等の正面視中心側に液晶表示器を容易に組み付けることができるとともに、ケース内への液晶表示器の着脱作業をスムーズに行うことができる表示装置組付構造及び表示装置組付方法を提供することができる。
【図面の簡単な説明】
【００１７】
【図１】図１は、本実施形態に係る表示装置組付構造１を示す正面図である。
【図２】図２は、図１のＡ−Ａ断面図である。
【図３】図３は、本実施形態に係るケース１１０、文字板１２０及びＬＣＤ表示機器２００を示す分解斜視図である。
【図４】図４は、本実施形態に係るケース１１０、文字板１２０及びＬＣＤ表示機器２００を示す組付後斜視図である。
【図５】図５（ａ）は、図３のＡ矢視図であり、図５（ｂ）は、図３のＢ矢視図である。
【図６】図６は、本実施形態に係る表示装置組付方法を説明するための模式図である。
【発明を実施するための形態】
【００１８】
次に、本発明に係る表示装置組付構造及び表示装置組付方法の実施形態について、図面を参照しながら説明する。本実施形態では、表示装置として、自動車に搭載される自動車用表示装置とする。具体的には、（１）表示装置組付構造１の説明、（２）ケース１１０の構成、（３）指針部材１３０の構成、（４）表示装置組付方法の説明、（５）作用・効果、（６）その他の実施形態について説明する。
【００１９】
なお、以下の図面の記載において、同一または類似の部分には、同一または類似の符号を付している。ただし、図面は模式的なものであり、各寸法の比率などは現実のものとは異なることに留意すべきである。
【００２０】
したがって、具体的な寸法などは以下の説明を参酌して判断すべきである。また、図面相互間においても互いの寸法の関係や比率が異なる部分が含まれ得る。
【００２１】
（１）表示装置組付構造１の説明
まず、本実施形態に係る表示装置組付構造１について、図面を参照しながら説明する。図１は、本実施形態に係る表示装置組付構造１を示す正面図である。図２は、図１のＡ−Ａ断面図である。図３は、本実施形態に係るケース１１０、文字板１２０及びＬＣＤ表示機器２００を示す分解斜視図である。図４は、本実施形態に係るケース１１０、文字板１２０及びＬＣＤ表示機器２００を示す組付後正面図である。なお、表示装置組付構造１は、自動車に搭載されるものとする。
【００２２】
図１〜図４に示すように、表示装置組付構造１は、メータ本体部１００に、略薄箱状のＬＣＤ表示機器２００（液晶表示器）を組み付ける構造である。
【００２３】
メータ本体部１００は、略箱状のケース１１０と、ケース１１０の前面側に配置された文字板１２０と、文字板１２０上で可動する指針部材１３０，１３０’と、ケース１１０内に設けられる内機１４０（図２参照）とを備えている。
【００２４】
ケース１１０内には、上述したケース１１０や文字板１２０、指針部材１３０、内機１４０の他に、文字板１２０や指針部材１３０を発光照明する光源（不図示）、フレキシブル配線板からなるコンビネーションメータ用配線基板１６０などの各種機器が設けられている。また、ケース１１０には、ＬＣＤ表示機器２００を収容する表示器収容室内１１３（図３参照）が設けられる。なお、ケース１１０の詳細な構成については、後述する。
【００２５】
文字板１２０は、正面視略中央に位置する中央部分１２１と、中央部分１２１の右側において燃料計１２２ａ等が付された右側サイド部分１２２と、中央部分１２１の左側において水温計１２３ａ等が付された左側サイド部分１２３とを備える（図３参照）。
【００２６】
中央部分１２１は、速度計１２１ａ’が付される円盤状の中央板１２１ａと、上述した光源（不図示）からの光を中央板１２１ａや指針部材１３０に導く導光部材１２１ｂとによって構成される（図１及び図３参照）。
【００２７】
中央板１２１ａには、ＬＣＤ表示機器２００が視認可能な円形状の孔１２１ｃが形成されている。一方、導光部材１２１ｂは、中央板１２１ａの外周縁からケース１１０内に向かって立ち上がる。また、導光部材１２１ｂは、コンビネーションメータ用配線基板１６０等と電気的に接続され、中央板１２１ａの点灯状況が制御されている。
【００２８】
なお、本実施形態では、右側サイド部分１２２や左側サイド部分１２３においても、中央部分１２１とほぼ同様の構成を有しており、光源（不図示）からの光を文字板１２０や指針部材１３０に導く導光部材等が設けられているが、図面では省略している。
【００２９】
指針部材１３０は、円盤状の中央板１２１ａを中心に文字板１２０上で可動する。なお、指針部材１３０の詳細な構成については、後述する。
【００３０】
内機１４０は、ケース１１０内において、文字板１２０の背面側に設けられる。内機１４０は、指針部材１３０を駆動する回動駆動軸１４１（図２参照）を少なくとも備える。
【００３１】
ＬＣＤ表示機器２００は、シフト表示（図１では「Ｄ」）や各種距離（例えば、走行距離）などをデジタル表示する。ＬＣＤ表示機器２００は、表示器収容室内１１３に収容され、内機１４０と文字板１２０との間に挿脱される。ＬＣＤ表示機器２００は、ＬＣＤ本体部２１０と、ＬＣＤ本体部２１０に固定されるＬＣＤパネル部２２０と、ＬＣＤ本体部２１０の下側縁においてコンビネーションメータ用配線基板１６０等と電気的に接続されるＦＦＣ２３０（フレキシブルフラットケーブル）とによって大略構成される。
【００３２】
ＬＣＤ本体部２１０には、ＬＣＤパネル部２２０上で開口する窓部分２１１と、ＬＣＤ本体部２１０の下側縁に設けられる嵌合部分２１２が形成される（図３参照）。窓部分２１１は、ＬＣＤパネル部２２０でのデジタル表示を視認可能に形成される。嵌合部分２１２には、ケース１１０（表示器収容室内１１３）にＬＣＤ表示機器２００を固定するネジ１１６Ｎ（図４及び図６参照）が嵌合される。
【００３３】
（２）ケース１１０の構成
次に、上述したケース１１０の詳細な構成について、図３〜図５を参照しながら説明する。なお、図５（ａ）は、図３のＡ矢視図であり、図５（ｂ）は、図３のＢ矢視図である。
【００３４】
図３及び図４に示すように、ケース１１０は、最も背面側に位置する背面壁１１１と、背面壁１１１の外周縁から文字板１２０側へ立ち上がる周辺壁１１２とを有する。なお、ケース１１０の正面視略中央には、上述した表示器収容室内１１３が設けられている。
【００３５】
ケース１１０の周辺壁１１２には、ケース１１０内の内機１４０と文字板１２０との間にＬＣＤ表示機器２００を挿脱可能な表示器挿入開口１１４が形成される。本実施形態では、表示器挿入開口１１４は、周辺壁１１２における下面に設けられる。
【００３６】
具体的には、表示器挿入開口１１４は、上述した背面壁１１１の一部と、背面壁１１１に対向する前面壁１１４Ａと、前面壁１１４Ａと背面壁１１１との間に位置する一対の側面壁１１４Ｂとによって形成されている。
【００３７】
このような表示器挿入開口１１４の開口縁部１１４Eには、ケース１１０内へＬＣＤ表示機器２００の外周縁を案内するガイド手段１１５と、ケース１１０内に挿入されたＬＣＤ表示機器２００を固定する固定手段１１６とが設けられる。
【００３８】
図４及び図５に示すように、ガイド手段１１５は、一対の側面壁１１４Ｂにおいて前面壁１１４Ａ寄りに形成される。ガイド手段１１５は、ＬＣＤ表示機器２００を案内するとともに、ケース１１０内へ挿入されたＬＣＤ表示機器２００が内機１４０と文字板１２０との間で傾斜しないように、ＬＣＤ表示機器２００を支持する役目も有している。
【００３９】
具体的には、図５に示すように、ガイド手段１１５は、側面壁１１４Ｂに固定される底部１１５Ａと、底部１１５Ａの両端から表示器収容室内１１３内へ突出する一対の突部１１５Ｂとによって形成される。なお、一対の突部１１５Ｂは、図５（ｂ）では略平行に形成されているが、ＬＣＤ表示機器２００が挿入し易くするために、表示器挿入開口１１４の出入口近辺の間隔Ｄを他の部分よりも広く形成してもよい。
【００４０】
固定手段１１６は、内機１４０と文字板１２０との間にＬＣＤ表示機器２００を固定する。固定手段１１６は、ＬＣＤ表示機器２００を固定するネジ１１６Ｎと、前面壁１１４Ａに形成される孔１１６Ｏとによって構成される（図３参照）。すなわち、孔１１６Ｏを挿通したネジ１１６Ｎが、上述したＬＣＤ本体部２１０の嵌合部分２１２に嵌合することによって、ケース１１０（表示器収容室内１１３）内にＬＣＤ表示機器２００が固定される。
【００４１】
なお、固定手段１１６は、必ずしもネジ１１６Ｎ及び孔１１６Ｏである必要はなく、ケース１１０内に挿入されたＬＣＤ表示機器２００を固定できる手段であればよく、例えば、ＬＣＤ表示機器２００と前面壁１１４Ａとが互いに噛み合う係止手段・嵌合手段などであってもよい。
【００４２】
（３）指針部材１３０の構成
次に、上述した指針部材１３０の詳細な構成について、図２を参照しながら説明する。
【００４３】
図２に示すように、指針部材１３０は、内機１４０の回動駆動軸１４１に一端が連結される指針本体部１３１と、指針本体部１３１の他端側から延設される指針迂回部１３２と、指針迂回部に延設される指針先端部１３３とを備える。
【００４４】
指針本体部１３１は、内機１４０の駆動により回動する。指針迂回部１３２は、ＬＣＤ表示機器２００の外周を迂回するとともに、文字板１２０を迂回する。具体的には、指針迂回部１３２は、ＬＣＤ表示機器２００の外周を迂回するＬＥＤ迂回部分１３２Ａと、文字板１２０を迂回する文字板迂回部分１３２Ｂとによって構成される。
【００４５】
ＬＥＤ迂回部分１３２Ａは、指針本体部１３１に延設される。一方、文字板迂回部分１３２Ｂは、指針本体部１３１と連結したＬＥＤ迂回部分１３２Ａの他端側に延設される。そして、指針先端部１３３は、文字板迂回部分１３２Ｂと連結した文字板迂回部分１３２Ｂの他端側に延設される。この文字板迂回部分１３２Ｂは、文字板１２０上に位置することになる。
【００４６】
（４）表示装置組付方法の説明
次に、本実施形態に係る表示装置組付方法について、図６を参照しながら説明する。図６は、本実施形態に係る表示装置組付方法を説明するための模式図である。
【００４７】
図６に示すように、表示装置組付方法は、メータ本体部１００に、略薄箱状のＬＣＤ表示機器２００（液晶表示器）を組み付ける方法である。この表示装置組付方法は、ＬＣＤ挿入行程と、ＬＣＤ固定行程と、文字板組付行程とを少なくとも含む。
【００４８】
まず、図６（ａ）に示すように、ＬＣＤ挿入行程では、内機１４０に指針部材１３０が組み付けられた後、指針部材１３０を構成する指針本体部１３１と、指針本体部１３１の他端側から延設された指針迂回部１３２との間に、周辺壁１１２に設けられた表示器挿入開口１１４からＬＣＤ表示機器２００をケース１１０内に挿入する。この際、ＬＣＤ表示機器２００は、上述したガイド手段１１５によって表示器収容室内１１３内に案内される。
【００４９】
次に、図６（ｂ）に示すように、ＬＣＤ固定行程では、指針本体部１３１と指針迂回部１３２との間にＬＣＤ表示機器２００が挿入された状態で、ＬＣＤ表示機器２００をケース１１０に固定する。この際、ＬＣＤ表示機器２００は、上述した固定手段１１６によって表示器収容室内１１３内で固定される。
【００５０】
次に、図６（ｃ）に示すように、文字板組付行程では、ＬＣＤ表示機器２００の前面側へ指針迂回部１３２から延設された指針先端部１３３をさけるように、文字板１２０をケース１１０の前面（すなわち、指針先端部１３３とＬＣＤ表示機器２００との間）に組み付ける。この際、文字板１２０がＬＣＤ表示機器２００に接触することを防止するために、文字板１２０を指針先端部１３３側（上方側）からケース１１０の前面に組み付けることが好ましい。
【００５１】
（５）作用・効果
以上説明した本実施形態では、ケース１１０の周辺壁１１２には、内機１４０と文字板１２０との間にＬＣＤ表示機器２００を挿脱可能な表示器挿入開口１１４が形成される。これにより、表示器挿入開口１１４からＬＣＤ表示機器２００を挿入するのみで、文字板１２０に付される速度計１２１’等の正面視中心側、且つ、内機１４０と文字板１２０との間にＬＣＤ表示機器２００を容易に組み付けることができる。また、表示器挿入開口１１４を介してＬＣＤ表示機器２００を容易に着脱できるため、ケース１１０内へのＬＣＤ表示機器２００の着脱作業をスムーズに行うことができる。
【００５２】
本実施形態では、表示器挿入開口１１４の開口縁部１１４Eには、ガイド手段１１５と固定手段１１６とが設けられる。これにより、ガイド手段１１５によってケース１１０内の内機１４０と文字板１２０との間にＬＣＤ表示機器２００が案内されるため、ＬＣＤ表示機器２００への損傷を防止しつつ、ケース１１０内への液晶表示器の着脱作業をスムーズに行うことができる。また、固定手段１１６によってケース１１０内の内機１４０と文字板１２０との間にＬＣＤ表示機器２００を確実に固定でき、ケース内にＬＣＤ表示機器２００をさらに容易に組み付けることができる。
【００５３】
本実施形態では、指針迂回部１３２は、ＬＣＤ表示機器２００の外周を迂回するとともに、文字板１２０を迂回する。これにより、内機１４０と文字板１２０との間にＬＣＤ表示機器２００を配置させ、ＬＣＤ表示機器２００の前面に指針部材を確実に配置させることが可能である。
【００５４】
本実施形態では、表示装置組付方法では、ＬＣＤ挿入行程と、ＬＣＤ固定行程と、文字板組付行程を実行することによって、文字板１２０に付される速度計１２１’等の正面視中心側、且つ、内機１４０と文字板１２０との間にＬＣＤ表示機器２００を容易に組み付けることができるとともに、ＬＣＤ表示機器２００の前面に指針部材を確実に配置させることが可能である。
【００５５】
特に、文字板組付行程では、文字板１２０を指針先端部１３３側（上方側）からケース１１０の前面に組み付けることが好ましい。これにより、文字板１２０がＬＣＤ表示機器２００に接触することを防止することができるため、ＬＣＤ表示機器２００への損傷を確実に防止できる。
【００５６】
（６）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５７】
例えば、本発明の実施形態は、次のように変更することができる。具体的には、表示装置組付構造１は、自動車に搭載されるものとして説明したが、これに限定されるものではなく、バイクや船舶などの表示機器に用いられてもよい。
【００５８】
また、ＬＣＤ表示機器２００は、文字板１２０の中央部分１２１に設けられているものとして説明したが、これに限定されるものではなく、右側サイド部分１２２又は左側サイド部分１２３に設けられていてもよい。すなわち、ＬＣＤ表示機器２００は、必ずしも文字板１２０に付される速度計１２１’の正面視中心側に組みつけられる必要はなく、燃料計１２２ａや水温系１２３ａの正面視中心側に組みつけられてもよい。
【００５９】
また、表示器挿入開口１１４は、周辺壁１１２における下面に設けられるものとして説明したが、これに限定されるものではなく、周辺壁１１２における上面や側面に設けられていてもよい。
【００６０】
また、ガイド手段１１５は、ＬＣＤ表示機器２００の外周縁を案内するものとして説明したが、これに限定されるものではなく、例えば、ＬＣＤ表示機器２００の外周縁にガイド突起が設けられている場合には、該ガイド突起を案内するものであってもよい。
【００６１】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００６２】
１…表示装置組付構造
１００…メータ本体部
１１０…ケース
１１２…周辺壁
１１４…表示器挿入開口
１１４Ｅ…開口縁部
１１５…ガイド手段
１１６…固定手段
１２０…文字板
１３０，１３０’…指針部材
１３１…指針本体部
１３２…指針迂回部
１３３…指針先端部
１４０…内機
１４１…回動駆動軸
２００…ＬＣＤ表示機器（液晶表示器）
【図１】
2012181089.tif 000003
【図２】
2012181089.tif 000004
【図３】
2012181089.tif 000005
【図４】
2012181089.tif 000006
【図５】
2012181089.tif 000007
【図６】
2012181089.tif 000008